(57)【要約】【課題】電気配線処理を簡潔化できる機器装着用ソケット装置を提供する。【解決手段】電磁リレーＲ１，Ｒ２，Ｒ３，Ｒ４…Ｒｎからなる機器本体を差し込む機器本体差込口３をそれぞれ有する複数のソケットＳ１，Ｓ２，Ｓ３，Ｓ４…Ｓｎを互いに側面を隣接して配設するものにおいて、一側面に電源用端子１を設け他側面に電源用端子差込口２を設けたソケットＳ１，Ｓ２，Ｓ３，Ｓ４…Ｓｎを備え、このソケットＳ１，Ｓ２，Ｓ３，Ｓ４…Ｓｎの内部で電源用端子１の導電部片と電源用端子差込口２の導電部片とを電気的に接続するとともに、電源用端子１に接続された電源用端子差込口２の導電部片と機器本体差込口３の導電部片とを電気的に接続する。【選択図】        図１
2004327258.tif 000002
【特許請求の範囲】
【請求項１】
機器本体を差し込む機器本体差込口をそれぞれ有する複数のソケットを互いに側面を隣接して配設するものにおいて、一側面に電源用端子を設け他側面に電源用端子差込口を設けたソケットを備え、このソケットの内部で前記電源用端子の導電部片と電源用端子差込口の導電部片とを電気的に接続するとともに、前記電源用端子と接続された前記電源用端子差込口の導電部片と前記電磁機器本体差込口の導電部片とを電気的に接続することを特徴とする機器装着用ソケット装置。
【請求項２】
前記電源用端子に接続される電源用端子差込口の導電部片を互いに電気的に絶縁して複数個設けて、それぞれ異なる電源に接続するとともに、前記機器本体差込口の導電部片をいずれかの電源に接続された前記電源用端子および電源用端子差込口の導電部片と選択的に接続する切替スイッチを設けたことを特徴とする請求項１に記載の機器装着用ソケット装置。
【請求項３】
機器本体を差し込む機器本体差込口をそれぞれ有する複数のソケットを互いに側面を隣接して配列するものにおいて、前記配列における終端の一方に位置するソケットの側面に設けられた電源用端子を差し込む電源用端子差込口を備え、電源接続用端子を介して電源配線を行うための電源配線接続用ブロックを設けたことを特徴とする請求項１または請求項２に記載の機器装着用ソケット装置。
【請求項４】
機器本体を差し込む機器本体差込口をそれぞれ有する複数のソケットを互いに側面を隣接して配列するものにおいて、前記配列における終端の他方に位置するソケットの側面に設けられた電源用端子差込口に差込接続される電源用端子を備え、電源接続用端子を介して電源配線を行うための電源配線接続用ブロックを設けたことを特徴とする請求項１または請求項２に記載の機器装着用ソケット装置。
【請求項５】
機器本体を差し込む機器本体差込口を有するソケットに、機器本体の動作に応じて点灯する表示灯を設けたことを特徴とする請求項１ないし請求項４のいずれかに記載の機器装着用ソケット装置。
【発明の詳細な説明】
【０００１】
【発明の属する技術分野】
この発明は、機器装着用ソケット装置、特に、制御装置で使用する電磁リレー等の電磁機器を差し込む差込口を設けたソケット装置に関するものである。
【０００２】
【従来の技術】
従来技術においては、複数個のソケットがレールの長手方向に列設して取付けられた後、各ソケットに電磁リレーがそれぞれ搭載される。そして、各電磁リレーが所定の動作を行うよう、ソケットに設けられた各端子間において電線により適宜配線される（例えば、特許文献１参照）。
【０００３】
【特許文献１】
特開平５−２７５１３３号公報
【０００４】
【発明が解決しようとする課題】
前述した従来の電磁リレー用ソケットはレールを利用して複数の電磁リレーをレールの長手方向に列設して取付けるために用いられるだけで、その電源配線はレールにソケットを取付けた後に、各ソケットの端子台の電源端子配線が行われる。
【０００５】
この発明は、電気配線処理を簡潔化できる電磁機器用ソケット装置を提供しようとするものである。
【０００６】
【課題を解決するための手段】
この発明に係る電磁機器用ソケット装置では、一側面に電源用端子を設け他側面に電源用端子差込口を設けたソケットを備え、このソケットの内部で前記電源用端子と電源用端子差込口の端子と前記電磁機器本体差込口の端子とを電気的に接続するようにしたものである。
【０００７】
【発明の実施の形態】
実施の形態１．
この発明による実施の形態１を図１ないし図４について説明する。図１は実施の形態１における機器装着用ソケット装置の構成を示す上面図である。図２は実施の形態１におけるソケット単体の構成を示す上面図である。図３は実施の形態１におけるソケット単体の構成を示す側面図である。図４は実施の形態１における回路構成を示す接続図である。
【０００８】
図１において、電磁リレーＲ１，Ｒ２，Ｒ３，Ｒ４…Ｒｎを装着するためのソケットＳ１，Ｓ２，Ｓ３，Ｓ４…Ｓｎは、レールＡに互いに側面を隣接して取付けられ、列設状態で配設されている。
ソケットＳ１の図示左側には、電源配線接続用ブロックＤａが配設され、ソケットＳｎの図示右側には、電源配線接続用ブロックＤｂが配設される。
【０００９】
ソケットＳ１，Ｓ２，Ｓ３，Ｓ４…Ｓｎのそれぞれの単体は、図２に示すように構成されている。図２にはソケットＳ１の例を示しているが、ソケットＳ２，Ｓ３，Ｓ４…Ｓｎについても同様の単体構成を有している。
ソケットＳ１は、図示左側の一側面に電磁リレー本体Ｒ１の電源端子と同様の形状の電源端子１を有し、図示右側の他側面には隣接するソケットＳ２の電源端子１の差込口２を有する。
ソケットＳ１の内部で電源端子１の導電部片と電源端子差込口２の導電部片は導通しており、かつ、電源端子１および電源端子差込口２の導電部片と電磁リレー本体Ｒ１の電源端子と差込接続される電磁リレー電源端子差込口３の導電部片とは、図３に示すように、接続導体６によってソケットＳ１の内部で導通している。
ここで、ソケットＳ１に電源用途以外の端子台４が設けられているが、電源接続用端子台領域５には電源接続用端子台は設けられていない。
【００１０】
ソケットＳ１の電源端子１は電源配線接続用ブロックＤａ（図１）に設けられた電源端子差込口に差込接続され、電源配線接続用ブロックＤａの電源接続用端子台を介して電源の一方配線に接続される。また、ソケットＳｎ（図１）の電源端子差込口２は電源配線接続用ブロックＤｂ（図１）に設けられた電源端子に差込接続され、電源配線接続用ブロックＤａの電源接続用端子台を介して電源の他方配線に接続される。
なお、電源配線接続用ブロックＤａ，Ｄｂについては、実施の形態３において詳述する。
このように、ソケットＳ１，Ｓ２，Ｓ３，Ｓ４…Ｓｎを図１に示すように連接することにより連接された電磁リレーＲ１，Ｒ２，Ｒ３，Ｒ４…Ｒｎの各々の電源は電源接続用端子台により配線することなく同一電源を持つことになる。
【００１１】
これを図４の回路図で説明すると、従来では接続回路Ｆ１からＦ４まで、電源Ｓと同一電源であるため、電源ＳからＦ１、Ｆ１からＦ２、Ｆ２からＦ３、およびＦ３からＦ４への合計４本の配線作業が必要となる。この発明による実施の形態のソケットを使用すると、配線は電源ＳからＦ１までの１本で済み、残りの配線はソケット同士で接続される導電ラインとなる。
なお、電磁リレーＲ１の電源はソケットＳ１の本体内部で導通することから、ソケットＳ１の端子台の内、電源配線端子５を不要にすることも可能である。
【００１２】
この発明による実施の形態１によれば、電磁リレーＲ１，Ｒ２，Ｒ３，Ｒ４…Ｒｎからなる機器本体を差し込む機器本体差込口３をそれぞれ有する複数のソケットＳ１，Ｓ２，Ｓ３，Ｓ４…Ｓｎを互いに側面を隣接して配設するものにおいて、一側面に電源用端子１を設け他側面に電源用端子差込口２を設けたソケットＳ１，Ｓ２，Ｓ３，Ｓ４…Ｓｎを備え、このソケットＳ１，Ｓ２，Ｓ３，Ｓ４…Ｓｎの内部で前記電源用端子１の導電部片と電源用端子差込口１の導電部片とを電気的に接続するとともに、前記電源用端子１に接続された電源用端子差込口１の導電部片と前記電磁機器本体差込口３の導電部片とを電気的に接続するようにしたので、電気配線処理を簡潔化できる電磁機器用ソケット装置を得ることができる。
【００１３】
実施の形態２．
この発明による実施の形態２を図５ないし図７について説明する。図５は実施の形態２におけるソケット単体の構成を示す上面図である。図６は実施の形態２におけるソケット単体の構成を示す側面図である。図７は実施の形態２における回路構成を示す接続図である。
この実施の形態２において、ここで説明する特有の構成以外の構成については、先に説明した実施の形態１における構成と同様の構成内容を具備し、同様の作用を奏するものである。図中、同一符号は同一または相当部分を示す。
【００１４】
先に説明した実施の形態１では電磁リレーＲ端子差込口３とソケットＳ１，Ｓ２，Ｓ３，Ｓ４…Ｓｎに内蔵する電源ラインは直接導通していたが、この実施の形態２では、ソケットＳ１，Ｓ２，Ｓ３，Ｓ４…Ｓｎに電源切替スイッチ７を設けて、列設する電磁リレー毎に電源を２ａまたは２ｂのどちらかに切替可能としたことを特徴とする。
【００１５】
図５において、ソケットＳ１は、図示左側の一側面に電磁リレー本体Ｒ１の端子５と同様の形状の電源端子１を有し、図示右側の他側面には隣接するソケットＳ２の電源端子１の差込口２を有する。
ソケットＳ１の内部で電源端子１の導電部片と電源端子差込口２の導電部片は導通しており、かつ、電源端子１および電源端子差込口２の導電部片と電磁リレー本体Ｒ１の電源端子差込口３の導電部片とは、接続続導体によってソケットＳ１の内部で導通している。
電源端子１の導電部片と接続される電源端子差込口２の導電部片は、図６に示すように、互いに電気的に絶縁された複数の導電部片２ａ，２ｂによって構成されている。
ソケットＳ１には、導電部片２ａおよび２ｂのいずれかを選択して切り替える切替スイッチ７が設けられ、また、電磁リレーＲ１の動作を表示する動作表示灯が設けられている。
【００１６】
図６において、ソケットＳ１には、それぞれ電源端子に接続される電源端子差込口の導電部片２ａおよび２ｂは互いに電気的に絶縁して設けられ、異なる電源端子を介して異種の電源に接続されている。
この導電部片２ａおよび２ｂのいずれかを切替スイッチ７で切り替え、電磁リレーＲ１への電源を選択的に供給する。
【００１７】
これを図７の回路図にて説明すると、ソケット毎にリレーコイルの電源を切替可能なスイッチがあり、リレーＲ１とＲ４は電源Ｓに接続し、Ｒ２とＲ３は電源Ｎに接続されている。
このとき、実際のリレーの並びは回路図通りＲ１からＲ４まで順番に並べることができる。
なお、これによりソケットＳ１，Ｓ２，Ｓ３，Ｓ４…Ｓｎに設ける端子台は、電磁リレーＲ１，Ｒ２，Ｒ３，Ｒ４…Ｒｎの端子に対し、１個少ない数にすることも可能である。
【００１８】
上記の実施の形態に限定されるものでなく、要旨を逸脱しない範囲内で適宜変形し得ることは勿論である。
例えば図７および図８の切替スイッチ７はソケット内蔵の電源ライン２ａと２ｂどちらかに選択される２モードの切替でなく、電源ライン２ａおよび２ｂに接続されないモードを加えた３モードの切替スイッチとすることで、利用の選択肢が増加することになる。
ただし、この場合におけるソケットＳ１，Ｓ２，Ｓ３，Ｓ４…Ｓｎの端子台３は、電磁リレーＲの端子数と同数としなければならない。
【００１９】
また、ソケットＳ１，Ｓ２，Ｓ３，Ｓ４…Ｓｎに内蔵する電源ラインを１個増やし、電源切替スイッチ７を３モード切替とする。あるいは、電源ライン３本とどの電源ラインにも接続しないモードとを切替える４モードとすることもできる。
【００２０】
この発明による実施の形態２によれば、実施の形態１における構成において、前記電源用端子１に接続された電源用端子差込口２の導電部片２ａ，２ｂを互いに電気的に絶縁して複数個設けて、それぞれ異なる電源に接続するとともに、前記機器本体差込口３の導電部片をいずれかの電源に接続された電源用端子差込口２の導電部片２ａ，２ｂと選択的に接続する切替スイッチ７を設けたので、電気配線処理を簡潔化できるとともに、電源選択を容易に行える電磁機器用ソケット装置を得ることができる。
【００２１】
実施の形態３．
この発明による実施の形態３を図１ならびに図８および図９について説明する。図１は実施の形態３における機器装着用ソケット装置の構成を示す上面図である。図８は実施の形態３における電源配線接続用ブロックの構成を示す側面図である。図９は実施の形態３における電源配線接続用ブロックの構成を示す斜視図である。
この実施の形態３において、ここで説明する特有の構成以外の構成については、先に説明した実施の形態１および実施の形態２における構成と同様の構成内容を具備し、同様の作用を奏するものである。図中、同一符号は同一または相当部分を示す。
【００２２】
ソケットＳ１，Ｓ２，Ｓ３，Ｓ４…Ｓｎを列設した場合、列設した最終端であるソケットＳ１およびソケットＳｎでは、電源端子または電源端子差込口が露出状態であるため、その接続と電源ラインの配線端子および列設したソケットの端部固定を兼ねた電源配線接続用ブロックＤａ，Ｄｂを、図１に示すように設ける。
【００２３】
電源配線接続用ブロックＤａは、ソケットＳ１の一側面に設けられた電源端子１を差込接続する電源端子用差込口９および電源端子用差込口９の導電部片に接続される電源配線接続用端子台１０ならびに電源配線接続用ブロックＤａ本体をレールＡに固定するネジ１１で構成される。電源端子用差込口９と端子台１０は電源配線接続用ブロックＤａ本体の内部にて導通している。
電源配線接続用ブロックＤｂは、電源配線接続用ブロックＤａと同様の構成であるが、ソケットＳｎの他側面に設けられた電源端子差込口２と差込接続される電源端子を有し、この電源端子が電源配線接続用端子台１０に接続される点が電源配線接続用ブロックＤａと相違している。
【００２４】
図８は電源配線接続用ブロックＤａをレールＡのレール翼部Ａ１，Ａ２に係合させて、ネジ１１によりレールＡに取付けた状態を示すものである。
電源配線は図８の端子台１０に接続することにより、同じレールＡに搭載される電磁リレーＲ１，Ｒ２，Ｒ３，Ｒ４…Ｒｎの電源は各々のソケットＳ１，Ｓ２，Ｓ３，Ｓ４…Ｓｎを介して供給されることになり、各々の電磁リレーＲ１，Ｒ２，Ｒ３，Ｒ４…Ｒｎの電源配線は不要である。
【００２５】
図９はソケットＳ１，Ｓ２，Ｓ３，Ｓ４…Ｓｎ、レールＡ、電源配線接続用ブロックＤａを組み合わせて使用した一例を示す。
【００２６】
この発明による実施の形態３によれば、実施の形態１および実施の形態２のいずれかの構成であって、電磁リレーＲ１，Ｒ２，Ｒ３，Ｒ４…Ｒｎからなる機器本体を差し込む機器本体差込口３をそれぞれ有する複数のソケットＳ１，Ｓ２，Ｓ３，Ｓ４…Ｓｎを互いに側面を隣接して配列するものにおいて、前記配列における終端の一方に位置するソケットＳ１の側面に設けられた電源用端子１を差し込む電源用端子差込口９を備え、電源接続用端子１０を介して電源配線を行うための電源配線接続用ブロックＤａを設けたので、電源用端子差込口を備えた電源配線接続用ブロックにより、適切な構成で電気配線処理を簡潔化できる機器装着用ソケット装置を得ることができる。
【００２７】
また、この発明による実施の形態３によれば、実施の形態１および実施の形態２のいずれかの構成であって、電磁リレーＲ１，Ｒ２，Ｒ３，Ｒ４…Ｒｎからなる機器本体を差し込む機器本体差込口３をそれぞれ有する複数のソケットＳ１，Ｓ２，Ｓ３，Ｓ４…Ｓｎを互いに側面を隣接して配列するものにおいて、前記配列における終端の他方に位置するソケットＳｎの側面に設けられた電源用端子差込口２と差込接続される電源用端子を備え、電源接続用端子１０を介して電源配線を行うための電源配線接続用ブロックＤｂを設けたので、電源用端子を備えた電源配線接続用ブロックにより、適切な構成で電気配線処理を簡潔化できる機器装着用ソケット装置を得ることができる。
【００２８】
実施の形態４．
この発明による実施の形態４を図１０について説明する。図１０は実施の形態４における回路構成を示す接続図である。
この実施の形態４において、ここで説明する特有の構成以外の構成については、先に説明した実施の形態１ないし実施の形態３における構成と同様の構成内容を具備し、同様の作用を奏するものである。図中、同一符号は同一または相当部分を示す。
【００２９】
図１０の回路図で示す抵抗Ｇと表示灯Ｌを直列接続し、ソケット内においてリレーのコイル両端に並列に接続されるよう設ける。リレーコイルに電圧が印加されると表示灯Ｌが点灯し、リレーの動作表示灯の役割を果たす。
なお、抵抗Ｇは高抵抗にすることにより消費電力を少なくする。
表示灯Ｌは電流が流れると点灯するＬＥＤ等を使用し、図７の動作表示灯８のように、電磁リレーＲ１を装着した状態でソケット上面から見える位置に配置する。
【００３０】
この発明による実施の形態４によれば、実施の形態１ないし実施の形態３におけるいずれかの構成において、電磁リレーＲ１，Ｒ２，Ｒ３，Ｒ４…Ｒｎからなる機器本体を差し込む機器本体差込口３をそれぞれ有する複数のソケットＳ１，Ｓ２，Ｓ３，Ｓ４…Ｓｎのそれぞれに、電磁リレーＲ１，Ｒ２，Ｒ３，Ｒ４…Ｒｎからなる機器本体の動作に応じて点灯する表示灯Ｌを設けたので、電気配線処理を簡潔化できるとともに、的確な動作表示を行える機器装着用ソケット装置を得ることができる。
【００３１】
なお、この発明による実施の形態では、ソケットを端子台の場合を示したが、共通配線部分を有するような使われ方をする電気機器であれば、端子台に限定するものでない。
【００３２】
また、この発明による実施の形態では、ソケットの設置方法として、いわゆるＤＩＮレール型のものの場合を示したが、電気機器との取付け状態によっては、この型に限定するものでない。
【００３３】
さらに、この発明による実施の形態では、リレー用のソケットとしての場合を示したが、共通配線部分を有するような使われ方をする電気機器であれば、リレー用に限定するものでない。
【００３４】
そして、この発明による実施の形態のソケットは、列設して取付けた各電気機器に共通に接続可能な導電ラインを設けているから、各電気機器が電源ラインに共通に接続される共通配線部分を有している場合、ソケットの導電ラインをその電源ラインにすれば、電源配線を省略することができる。
【００３５】
配線後、電磁リレーの電源を変更したい場合、共通側の電源配線の取外しおよび再取付するのではなく、ソケットに設けた電源切替スイッチにて変更できるので、配線改造時の作業が簡略化できる。
【００３６】
この発明による実施の形態のソケットを使用することにより盤内配線の本数が少なくなることから制御盤等の配線ダクトの容積が少なくて済むので、その減少した容積分電磁リレーの収納個数を増加させることができる。あるいは減少した容積分だけ制御盤の大きさを小さくすることができる。
【００３７】
【発明の効果】
この発明によれば、電気配線処理を簡潔化できる機器装着用ソケット装置を提供することができる。
【図面の簡単な説明】
【図１】この発明による実施の形態１における機器装着用ソケット装置の構成を示す上面図である。
【図２】この発明による実施の形態１におけるソケット単体の構成を示す上面図である。
【図３】この発明による実施の形態１におけるソケット単体の構成を示す側面図である。
【図４】この発明による実施の形態１における回路構成を示す接続図である。
【図５】この発明による実施の形態２におけるソケット単体の構成を示す上面面図である。
【図６】この発明による実施の形態２におけるソケット単体の構成を示す側面図である。
【図７】この発明による実施の形態２における回路構成を示す接続図である。
【図８】この発明による実施の形態３における電源配線接続用ブロックの構成を示す側面図である。
【図９】この発明による実施の形態３における電源配線接続用ブロックの構成を示す斜視図である。
【図１０】この発明による実施の形態４における回路構成を示す接続図である。
【符号の説明】
Ａ  レール、Ａ１，Ａ２  レール翼部、Ｓ１，Ｓ２，Ｓ３，Ｓ４…Ｓｎ  ソケット、Ｒ１，Ｒ２，Ｒ３，Ｒ４…Ｒｎ  電磁リレー、１  電源端子、  ２，２ａ，２ｂ  電源差込口、３  電磁リレー端子差込口、４  端子台、６  接続導体、７  切替スイッチ、８  動作表示灯、９  電源端子差込口、１０  電源配線端子、１１  電源配線用端子ブロック固定用ネジ、Ｇ  動作表示灯と直列に接続する抵抗、Ｌ  動作表示灯。
【図１】
2004327258.tif 000003
【図２】
2004327258.tif 000004
【図３】
2004327258.tif 000005
【図４】
2004327258.tif 000006
【図５】
2004327258.tif 000007
【図６】
2004327258.tif 000008
【図７】
2004327258.tif 000009
【図８】
2004327258.tif 000010
【図９】
2004327258.tif 000011
【図１０】
2004327258.tif 000012